(57)【要約】【課題】従来の技術は検索したいファイルの操作の履歴を利用してファイルを検索するものであった。しかし単にファイル操作履歴を利用するのみでは、ほしい情報を検索できないことがあった。【解決手段】本出願に係る電子ファイル検索システムは、他のファイルまたは装置等への操作の履歴を利用して検索する。また、本出願に係る電子ファイル検索システムは、コンピュータ上の操作の履歴だけでなく、他の装置の操作の履歴を利用して検索する。本願に係る電子ファイル検索システムは、操作−ファイル情報蓄積部と電子ファイル検索部とを有する。そして、本願に係る電子ファイル検索システムを利用することで、ＧＵＩなどの操作の履歴を利用して目的の電子ファイルを簡単に見つけることができる。【選択図】図１
2004348685.tif 000002
【特許請求の範囲】
【請求項１】
電子ファイルの生成と、入出力装置の操作に関する情報である操作情報とを関連付けた情報である操作−ファイル情報を蓄積する操作−ファイル情報蓄積部と、
操作に関する情報をキーとしてその操作に関連付けられている電子ファイルを前記操作―ファイル情報蓄積部から検索する電子ファイル検索部と、
を有する電子ファイル検索システム。
【請求項２】
電子ファイルの生成と、前記電子ファイルと異なる他の電子ファイルの生成とを関連付けた情報であるファイル−ファイル情報を蓄積するファイル−ファイル情報蓄積部と、
他の電子ファイルに関する情報をキーとして他の電子ファイルに関連付けられている電子ファイルを前記ファイル―ファイル情報蓄積部から検索する電子ファイル検索部と、
を有する電子ファイル検索システム。
【請求項３】
電子ファイルの生成と、スケジュール管理ソフトにて管理されているイベントとを時間によって関連付けた情報であるイベント−ファイル情報を蓄積するイベント−ファイル情報蓄積部と、
前記イベントに関する情報をキーとして前記イベントと関連付けられている電子ファイルを前記イベント−ファイル情報管理部から検索する電子ファイル検索部と、
を有する電子ファイル検索システム。
【請求項４】
電子ファイルの生成と、通信イベントとを時間によって関連付けた情報であるファイル−通信イベント情報を蓄積するファイル−通信イベント情報蓄積部と、前記通信イベントに関する情報をキーとして前記イベントと関連付けられている電子ファイルを前記通信イベント−ファイル情報管理部から検索する電子ファイル検索部と、
を有する電子ファイル検索システム。
【請求項５】
電子ファイルの生成と、場所に関する情報である場所情報とを時間によって関連付けた情報である場所情報−ファイル情報を蓄積する場所情報−ファイル情報蓄積部と、
前記場所に関する情報をキーとして前記場所情報と関連付けられている電子ファイルを前記場所情報−ファイル情報管理部から検索する電子ファイル検索部と、
を有する電子ファイル検索システム。
【請求項６】
電子ファイルの生成と、入出力装置の操作に関する情報である操作情報とを関連付けた情報である操作−ファイル情報を蓄積する操作−ファイル情報蓄積ステップと、
操作に関する情報をキーとしてその操作に関連付けられている電子ファイルを前記操作―ファイル情報蓄積部から検索する電子ファイル検索ステップと、
を有する電子ファイル検索方法。
【発明の詳細な説明】
【０００１】
【発明の属する技術分野】
本発明は電子ファイルを検索する装置及び方法に関する。
【０００２】
【従来の技術】
従来の技術は電子ファイルに対する操作の履歴を利用して検索対象を絞り込むことで迅速かつ適切な検索を可能とする電子ファイル検索装置がある。従来の技術の公知文献としては下記がある。
【０００３】
【特許文献１】特開２０００−１６３４３９号公報（第２頁−第５頁、第１図−第１７図）
【０００４】
【発明が解決しようとする課題】
しかし、従来の技術は検索したいファイルの操作の履歴を利用してファイルを検索するものであった。
【０００５】
【課題を解決するための手段】
本出願に係る発明は、他のファイルまたは装置等への操作の履歴を利用して検索する。また、本出願に係る発明は、コンピュータの操作の履歴だけでなく、他の装置の操作の履歴を利用して検索する。本願に係る発明の電子ファイル検索システムは、操作−ファイル情報蓄積部と電子ファイル検索部とを有する。
【０００６】
【発明の実施の形態】
以下、本発明の実施の形態を図示例と共に説明する。
本発明の実施形態１は主に請求項１または６などに対応する。
本発明の実施形態２は主に請求項２などに対応する。
本発明の実施形態３は主に請求項３などに対応する。
本発明の実施形態４は主に請求項４などに対応する。
本発明の実施形態５は主に請求項５などに対応する。
【０００７】
＜実施形態１＞
【０００８】
＜概要＞
【０００９】
図１は実施形態１の電子ファイル検索システムの概念の一例を示す図である。利用者がパソコンへのＧＵＩ（Ｇｒａｐｈｉｃａｌ  Ｕｓｅｒ  Ｉｎｔｅｒｆａｃｅ）の操作の履歴を利用して、ファイル名を検索する際を利用して説明する。電子ファイル検索システムは利用者が行ったＧＵＩの操作の履歴とファイルの操作の履歴を関連づけて蓄積している。そのため、利用者はファイルを検索する際に、ＧＵＩの操作の状況を思い出すことで、そのＧＵＩの操作に関連づけられたファイルを検索することができる。そして、利用者は今日の午前８時にキーボードで‘Ａ’を入力したことを思い出す。そして、利用者は電子ファイル検索システムの検索を利用する。そして、電子ファイル検索システムは、今日の午前８時にキーボードで入力された文字が‘Ａ’であるときに、そのキーボード入力であるＧＵＩの操作に関連づけられているファイルの名前が‘Ａ０２’であることを検索した。そして、利用者はＧＵＩの操作の履歴からファイル名を検索することができた。
【００１０】
＜構成＞
【００１１】
図２は実施形態１の電子ファイル検索システムの機能ブロックの一例を示す図である。実施形態１の電子ファイル検索システム０２００は、操作−ファイル情報蓄積部０２０１と電子ファイル検索部０２０２とを有する。
【００１２】
「操作−ファイル情報蓄積部」は、電子ファイルの生成と、入出力装置の操作に関する情報である操作情報とを関連付けた情報である操作−ファイル情報を蓄積する。「電子ファイルの生成」とは、情報処理装置などに保持される電子ファイルを新規に作成することである。また、既に保持されている電子ファイルを開いたり、編集したり、閉じたりすることであってもよい。「操作情報」とは、入出力装置の操作に関する情報であり、情報処理装置のＧＵＩからの入力の操作や情報処理装置からの出力の処理に関する情報である。たとえば、コンピュータのファイルを開いたり、印刷したり、編集したりすることであり、画面のウインドウの大きさや配置を変更したりすることであり、キーボードからの文字を入力することである。「操作−ファイル情報」とは、電子ファイルの生成に関する情報と、前記操作情報とを双方が関連付けられた状態で電子ファイル検索システムに保持されている情報である。「関連付けた」とは、電子ファイルの生成に関する情報と操作情報とを一対一又は一対多又は多対多で関連づけていることをいう。
【００１３】
「電子ファイル検索部」は、操作に関する情報をキーとしてその操作に関連付けられている電子ファイルを前記操作―ファイル情報蓄積部から検索する。「操作に関する情報」とは、前記操作情報のことである。「キーとして」とは、一以上の操作に関する情報を電子ファイルシステムの検索のキーとすることをいう。「操作に関連付けられている電子ファイル」とは、前記操作−ファイル情報により操作情報に関連づけられている電子ファイルの生成に関する情報の基となった電子ファイルである。「検索する」とは、前記操作―ファイル情報蓄積部から前記操作−ファイル情報を利用して操作情報に関連付けられた電子ファイルの生成に関する情報の基となる電子ファイルを検索することである。
【００１４】
図３は実施形態１の電子ファイル検索システムの実施の一例である。電子ファイル検索システムの操作―ファイル情報蓄積部は逐次、前記操作−ファイル情報を時系列に蓄積している。そして、操作履歴としての‘キーボード入力’に関連づけられた電子ファイルを電子ファイル検索部が操作―ファイル情報蓄積部に検索する。そして、電子ファイル検索部は前記検索の結果としてファイル名‘Ａ０２’を電子ファイル検索システムより通知される。また、電子ファイル‘Ａ０２’が編集されていた際には、電子ファイル‘Ａ１’が開かれていた状態であるため、電子ファイル検索システムは‘Ａ’のキーボード入力があった際に操作されていた電子ファイルが‘Ａ０１’と‘Ａ０２’であると前記検索の結果を通知しても良い。
【００１５】
＜処理の流れ＞
【００１６】
図４は実施形態１の電子ファイル検索システムのフローの一例を示す図である。本実施形態の電子ファイルシステムは以下のステップを有してもよい。まず、操作−ファイル情報を蓄積する（ステップＳ０４０１）。そして、操作に関する情報を入力する（ステップＳ０４０２）。そして、入力された操作に関する情報をキーとしてその操作に関連付けられている電子ファイルを検索する（ステップＳ０４０３）。
【００１７】
＜効果＞
【００１８】
本実施形態の電子ファイル検索システムを利用することで、ＧＵＩなどの操作の履歴を利用して目的の電子ファイルを簡単に見つけることができる。
【００１９】
＜実施形態１以上＞
【００２０】
＜実施形態２＞
【００２１】
＜概要＞
【００２２】
実施形態２の電子ファイル検索システムは、電子ファイルの生成と、前記電子ファイルと異なる他の電子ファイルの生成とを関連付けた情報であるファイル−ファイル情報蓄積部と、他の電子ファイルに関する情報をキーとして他の電子ファイルに関連付けられている電子ファイルを前記ファイル―ファイル情報蓄積部から検索する電子ファイル検索部とを有する。本実施形態の電子ファイル検索システムを利用することで、利用者は、関連する複数の電子ファイルから目的の電子ファイルを見つけることができる。たとえば、利用者はバックアップの電子ファイルから元の電子ファイルを見つけることができる。
【００２３】
＜構成＞
【００２４】
図５は実施形態２の電子ファイル検索システムの機能ブロックの一例を示す図である。実施形態２の電子ファイル検索システム０５００はファイル−ファイル情報蓄積部０５０１と電子ファイル検索部０５０２とを有する。
【００２５】
「ファイル−ファイル情報蓄積部」は、電子ファイルの生成と、前記電子ファイルと異なる他の電子ファイルの生成とを関連付けた情報であるファイル−ファイル情報を蓄積する。「ファイル−ファイル情報」とは、実施形態１に記載の電子ファイルの生成に関する情報と、前記電子ファイルと異なる他の電子ファイルの生成に関する情報とを一対一、一対多、多対一に関連付けた情報である「蓄積」とは、電子ファイル検索システムが一以上のファイル−ファイル情報を保持することをいう。
【００２６】
「電子ファイル検索部」は、他の電子ファイルに関する情報をキーとして他の電子ファイルに関連付けられている電子ファイルを前記ファイル―ファイル情報蓄積部から検索する。「他の電子ファイルに関する情報をキーとして」とは、一以上の電子ファイルに関する情報を電子ファイルシステムの検索のキーとすることをいう。「関連付けられている」とは、前記ファイル−ファイル情報により電子ファイルに関する情報と他の電子ファイルの生成に関する情報が関連づけられていることをいう。「検索」とは、前記ファイル―ファイル情報蓄積部から前記ファイル−ファイル情報を利用して他の電子ファイルの生成に関連する情報に関連付けられた電子ファイルの生成に関する情報の基となる電子ファイルを検索することである。
【００２７】
図６は実施形態２の電子ファイル検索システムの実施の一例である。電子ファイル検索システムのファイル―ファイル情報蓄積部は逐次、前記ファイルーファイル情報を時系列に蓄積している。そして、印刷や編集の操作が電子ファイルに行われた際にバックアップファイルが生成されるようになっている。そして、そのバックアップファイルは、印刷や編集の終了により削除されるのが普通である。例えば、検索したいファイルが何であるか忘れたが、少し前に印刷をしたものであることがわかれば、‘＊．ｂａｋ’で示されるバックアップファイルと関連付けられている電子ファイルを探せばよい。バックアップファイル生成と関連づけられた電子ファイルの生成に関する情報を電子ファイル検索部がファイル―ファイル情報蓄積部に対し検索する。そして、電子ファイル検索部は検索の結果としてファイル名‘Ａ０１’と‘Ａ０２’が通知される。
【００２８】
＜処理の流れ＞
【００２９】
図７は実施形態２の電子ファイル検索システムのフローの一例を示す図である。本実施形態の電子ファイルシステムは以下のステップを有してもよい。まず、ファイル−ファイル情報を蓄積する（ステップＳ０７０１）。そして、他の電子ファイルに関する情報を入力する（ステップＳ０７０２）。そして、入力された他の電子ファイルに関する情報をキーとして他の電子ファイルに関連付けられている電子ファイルを検索する（ステップＳ０７０３）。
【００３０】
＜効果＞
【００３１】
本実施形態の電子ファイル検索システムを利用することで、バックアップファイルなどの他のファイルの履歴を利用して目的の電子ファイルを簡単に見つけることができる。
【００３２】
＜実施形態２以上＞
【００３３】
＜実施形態３＞
【００３４】
＜概要＞
【００３５】
実施形態３の電子ファイル検索システムは、電子ファイルの生成と、スケジュール管理ソフトにて管理されているイベントとを時間によって関連付けた情報であるイベント−ファイル情報を蓄積するイベント−ファイル情報蓄積部と、前記イベントに関する情報をキーとして前記イベントと関連付けられている電子ファイルを前記イベント−ファイル情報管理部から検索する電子ファイル検索部とを有する。本実施形態の電子ファイル検索システムを利用することで、利用者は自身のスケジュールから目的のファイルを検索することができる。たとえば、１週間前の会議終了後に作成した議事録の電子ファイルを簡単に見つけることができる。
【００３６】
＜構成＞
【００３７】
図８は実施形態３の電子ファイル検索システムの機能ブロックの図の一例である。実施形態３の電子ファイル検索システム０８００はイベント−ファイル情報蓄積部０８０１と電子ファイル検索部０８０２とを有する。
【００３８】
「イベント−ファイル情報蓄積部」は、電子ファイルの生成と、スケジュール管理ソフトにて管理されているイベントとを時間によって関連付けた情報であるイベント−ファイル情報を蓄積する。「イベント−ファイル情報」とは、実施形態１に記載の電子ファイルの生成に関する情報と、スケジュール管理ソフトにて管理されているイベントに関する情報とを一対一、一対多、多対一に関連付けた情報である。「蓄積」とは、電子ファイル検索システムが一以上の前記イベント−ファイル情報を保持することをいう。
【００３９】
「電子ファイル検索部」は、前記イベントに関する情報をキーとして前記イベントと関連付けられている電子ファイルを前記イベント−ファイル情報管理部から検索する。「イベントに関する情報をキーとして」とは、一以上のイベントに関する情報を電子ファイルシステムの検索のキーとすることをいう。「関連付けられている」とは、前記イベント−ファイル情報により電子ファイルに関する情報とイベントに関する情報が関連づけられていることをいう。「イベント」とは、利用者の事前または事後の行為の示す情報であり、予定表などであってもよい。「検索」とは、前記イベント―ファイル情報蓄積部から前記イベント−ファイル情報を利用してイベントに関する情報に関連付けられた電子ファイルの生成に関する情報の基となる電子ファイルを検索することである。
【００４０】
図９は実施形態３の電子ファイル検索システムの実施の一例である。電子ファイル検索システムのイベント−ファイル情報蓄積部は逐次、前記イベント−ファイル情報を時系列に蓄積している。そして、電子ファイル検索部が１週間前の会議であるイベントに関する履歴と関連づけられた電子ファイルをイベント−ファイル情報蓄積部に対し検索する。そして、電子ファイル検索部は検索結果としてファイル名‘Ａ０２’を通知される。
【００４１】
＜処理の流れ＞
【００４２】
図１０は実施形態３の電子ファイル検索システムのフローの一例を示す図である。本実施形態の電子ファイルシステムは以下のステップを有してもよい。まず、イベント−ファイル情報を蓄積する（ステップＳ１００１）。そして、イベントに関する情報を入力する（ステップＳ１００２）。そして、入力されたイベントに関する情報をキーとして前記イベントと関連付けられている電子ファイルを検索する（ステップＳ１００３）。
【００４３】
＜効果＞
【００４４】
本実施形態の電子ファイル検索システムを利用することで、スケジュール管理ソフトのイベントに関する情報を利用して目的の電子ファイルを簡単に見つけることができる。
【００４５】
＜実施形態３以上＞
【００４６】
＜実施形態４＞
【００４７】
＜概要＞
【００４８】
実施形態４の電子ファイル検索システムは、電子ファイルの生成と、通信イベントとを時間によって関連付けた情報であるファイル−通信イベント情報を蓄積するファイル−通信イベント情報蓄積部と、前記通信イベントに関する情報をキーとして前記イベントと関連付けられている電子ファイルを前記通信イベント−ファイル情報管理部から検索する電子ファイル検索部とを有する。本実施形態の電子ファイル検索システムを利用することで、利用者は自身の通信機器の操作履歴などから目的のファイルを検索することができる。たとえば、昨日に自宅に携帯電話をかけた時に使用していた電子ファイルを見つけることができる。
【００４９】
＜構成＞
【００５０】
図１１は実施形態４の電子ファイル検索システムの機能ブロックの図の一例である。実施形態４の電子ファイル検索システム１１００は、ファイル−通信イベント情報蓄積部１１０１と電子ファイル検索部１１０２とを有する。
【００５１】
「ファイル−通信イベント情報蓄積部」は、電子ファイルの生成と、通信イベントに関する情報とを時間によって関連付けた情報であるファイル−通信イベント情報を蓄積する。「ファイル−通信イベント情報」とは、実施形態１に記載の電子ファイルの生成に関する情報と、通信イベントに関する情報とを一対一、一対多、多対一に時系列に関連付けた情報である。「通信イベント」とは、無線または有線で情報を送受信する処理のことであり、ファイルダウンロード、ストリーム再生、インターネットラジオ、インターネットテレビ、ＣＡＴＶ、チャット、インターネットゲーム、インスタントメッセージなどであってもよい。「蓄積」とは、電子ファイル検索システムが一以上のファイル−通信イベント情報を保持することをいう。
【００５２】
「電子ファイル検索部」は前記通信イベントに関する情報をキーとして前記通信イベントと関連付けられている電子ファイルを前記通信イベント−ファイル情報管理部から検索する。「通信イベントに関する情報をキーとして」とは、一以上の通信イベントに関する情報を電子ファイルシステムの検索のキーとすることをいう。「関連付けられている」とは、前記ファイル−通信イベント情報により電子ファイルに関する情報と通信イベントに関する情報が時系列に関連づけられていることをいう。「検索」とは、前記ファイル−通信イベント情報蓄積部から前記ファイル−通信イベント情報を利用して通信イベントに関する情報に関連付けられた電子ファイルの生成に関する情報の基となる電子ファイルを検索することである。
【００５３】
図１２は実施形態４の電子ファイル検索システムの実施の一例である。電子ファイル検索システムのファイル―通信イベント情報蓄積部は逐次、前記ファイル−通信イベント情報を時系列に蓄積している。そして、昨日に自宅への携帯電話の発信の通話記録としての通信イベントの履歴と関連づけられた電子ファイルを電子ファイル検索部がファイル―通信イベント情報蓄積部に対し検索する。そして、電子ファイル検索部は検索結果としてファイル名‘Ａ０２’を通知される。
【００５４】
図１３は実施形態４の電子ファイル検索システムの構成の一例である。ＦＡＸの通信履歴や電話の通信の履歴をルータを介して電子ファイル検索システムが取得している。また、携帯電話の通信の履歴をインターネットを介して電子ファイル検索システムが取得している。
【００５５】
＜処理の流れ＞
【００５６】
図１４は実施形態４の電子ファイル検索システムのフローの一例を示す図である。本実施形態の電子ファイルシステムは以下のステップを有してもよい。まず、ファイル−通信イベント情報を蓄積する（ステップＳ１４０１）。そして、通信イベントに関する情報を入力する（ステップＳ１４０２）。そして、入力された通信イベントに関する情報をキーとして前記イベントと関連付けられている電子ファイルを検索する（ステップＳ１４０３）。
【００５７】
＜効果＞
【００５８】
本実施形態の電子ファイル検索システムを利用することで、携帯電話の通話履歴などの通信イベントに関する情報を利用して目的の電子ファイルを簡単に見つけることができる。
【００５９】
＜実施形態４以上＞
【００６０】
＜実施形態５＞
【００６１】
＜概要＞
【００６２】
実施形態５の電子ファイル検索システムは、電子ファイルの生成と、場所に関する情報である場所情報とを時間によって関連付けた情報である場所情報−ファイル情報を蓄積する場所情報−ファイル情報蓄積部と、前記場所に関する情報をキーとして前記場所情報と関連付けられている電子ファイルを前記場所情報−ファイル情報管理部から検索する電子ファイル検索部と、を有する。本実施形態の電子ファイル検索システムを利用することで、利用者は自身が出かけていた場所などに基づいて目的のファイルを検索することができる。たとえば、ノートブックパソコンまたは携帯電話に付随したＧＰＳ（Ｇｌｏｂａｌ  Ｐｏｓｉｔｉｏｎｉｎｇ  Ｓｙｓｔｅｍ）からの経度と緯度の情報より目的の電子ファイルを見つけることができる。
【００６３】
＜構成＞
【００６４】
図１５は実施形態５の電子ファイル検索システムの機能ブロックの図の一例である。実施形態５の電子ファイル検索システム１５００は場所情報−ファイル情報蓄積部１５０１と電子ファイル検索部１５０２とからなる。
【００６５】
「場所情報−ファイル情報蓄積部」は、電子ファイルの生成と、場所に関する情報である場所情報とを時間によって関連付けた情報である場所情報−ファイル情報を蓄積する。「場所情報−ファイル情報」とは、実施形態１に記載の電子ファイルの生成に関する情報と、場所情報に関する情報とを一対一、一対多、多対一に時系列に関連付けた情報である。「場所情報」とは、場所を示す情報であり、経度及び緯度や、地名などであってもよい。「蓄積」とは、電子ファイル検索システムが一以上の場所情報−ファイル情報を保持することをいう。
【００６６】
「電子ファイル検索部」は、前記場所に関する情報をキーとして前記場所情報と関連付けられている電子ファイルを前記場所情報−ファイル情報管理部から検索する。「場所に関する情報をキーとして」とは、一以上の場所に関する情報を電子ファイルシステムの検索のキーとすることをいう。「関連付けられている」とは、前記場所情報−ファイル情報により電子ファイルに関する情報と場所に関する情報が時系列に関連づけられていることをいう。「検索」とは、前記場所情報−ファイル情報蓄積部から前記場所情報−ファイル情報を利用して場所に関する情報に関連付けられた電子ファイルの生成に関する情報の基となる電子ファイルを検索することである。
【００６７】
図１６は実施形態５の電子ファイル検索システムの実施の一例である。電子ファイル検索システムの場所情報−ファイル情報蓄積部は逐次、前記場所情報−ファイル情報を時系列に蓄積している。そして、電子ファイル検索部がノートブックパソコンに付随したＧＰＳからの情報である‘北緯３５度、東経１４０度’という場所情報と関連づけられた電子ファイルを場所情報−ファイル情報蓄積部に対し検索する。そして、電子ファイル検索部は検索結果としてファイル名‘Ａ０２’を通知される。また利用者が検索し易いようにたとえば、‘千葉県市原市’という地名を前記緯度と経度の場所情報である‘北緯３５度、東経１４０度’に変換してから電子ファイル検索システムが電子ファイルを検索してもよい。また、本実施形態の電子ファイル検索システムにおいて利用者は携帯電話に付随したＧＰＳからの情報を利用して電子ファイルを検索できてもよい。
【００６８】
図１７は実施形態５の電子ファイル検索システムの構成の一例を示す。午前７時に通勤途上の利用者は千葉県市原市の自宅付近のバス停留所にて‘Ａ０２’の電子ファイルを編集する。そして、午前９時に東京都千代田区の会社付近のオープンカフェで‘Ａ０１’の電子ファイルを生成する。すると、場所情報−ファイル情報蓄積部には自宅付近と会社付近の２件の場所情報−ファイル情報が蓄積される。また、利用者とは別の複数の人々の場所情報と利用者の電子ファイルの生成の情報との関連付けが場所情報−ファイル情報においてなされていても良い。たとえば、前記利用者とは別の複数の人々の場所情報が、Ａさんが部屋、ＢさんとＣさんが出会った場所、Ｄさんが電車の中にいた場所、Ｅさんがビヤホールにいた場所などの情報であってもよい。
【００６９】
＜処理の流れ＞
【００７０】
図１８は実施形態５の電子ファイル検索システムのフローの一例を示す図である。本実施形態の電子ファイルシステムは以下のステップを有してもよい。まず、場所情報−ファイル情報を蓄積する（ステップＳ１８０１）。そして、場所に関する情報を入力する（ステップＳ１８０２）。そして、入力された場所に関する情報をキーとして前記場所情報と関連付けられている電子ファイルを検索する（ステップＳ１８０３）。
【００７１】
＜効果＞
【００７２】
本実施形態の電子ファイル検索システムを利用することで、ノートブックパソコンまたは携帯電話に付随のＧＰＳからの場所情報を利用して目的の電子ファイルを簡単に見つけることができる。
【００７３】
＜実施形態５以上＞
【００７４】
尚、本発明の電子ファイル検索システムは、上述の図示例にのみ限定されるものではなく、本発明の要旨を逸脱しない範囲内において種々変更を加え得ることは勿論である。
【００７５】
【発明の効果】
以上、説明したように本発明の請求項１〜６記載の電子ファイル検索システムによれば、利用者がより簡単に目的のファイルを見つけることができるという優れた効果を奏し得る。
【００７６】
【図面の簡単な説明】
【図１】実施形態１の概念の一例を示す図
【図２】実施形態１の機能ブロックの一例を示す図
【図３】実施形態１の実施の一例を示す図
【図４】実施形態１のフローの一例を示す図
【図５】実施形態２の機能ブロックの一例を示す図
【図６】実施形態２の実施の一例を示す図
【図７】実施形態２のフローの一例を示す図
【図８】実施形態３の機能ブロックの一例を示す図
【図９】実施形態３の実施の一例を示す図
【図１０】実施形態３のフローの一例を示す図
【図１１】実施形態４の機能ブロックの一例を示す図
【図１２】実施形態４の実施の一例を示す図
【図１３】実施形態４の構成の一例を示す図
【図１４】実施形態４のフローの一例を示す図
【図１５】実施形態５の機能ブロックの一例を示す図
【図１６】実施形態５の実施の一例を示す図
【図１７】実施形態５の構成の一例を示す図
【図１８】実施形態５のフローの一例を示す図
【符号の説明】
０２００  電子ファイル検索システム
０２０１  操作−ファイル情報蓄積部
０２０２  電子ファイル検索部
【図１】
2004348685.tif 000003
【図２】
2004348685.tif 000004
【図３】
2004348685.tif 000005
【図４】
2004348685.tif 000006
【図５】
2004348685.tif 000007
【図６】
2004348685.tif 000008
【図７】
2004348685.tif 000009
【図８】
2004348685.tif 000010
【図９】
2004348685.tif 000011
【図１０】
2004348685.tif 000012
【図１１】
2004348685.tif 000013
【図１２】
2004348685.tif 000014
【図１３】
2004348685.tif 000015
【図１４】
2004348685.tif 000016
【図１５】
2004348685.tif 000017
【図１６】
2004348685.tif 000018
【図１７】
2004348685.tif 000019
【図１８】
2004348685.tif 000020